(57)【要約】【課題】新規な装飾性を有する積層体および装飾性付与方法を提供すること。【解決手段】積層体１は、基材２と、基材２の上に透明インクを用いて図柄を印刷することで形成された表面図柄層４と、を備えることを特徴とする。積層体１は、基材２上に透明インクで形成された表面図柄層４を備えるので、積層体１を目視する角度によって、図柄へ当たった光の反射の仕方が変化する。そのため、図柄の見え方が、ほのかに認識できたり、くっきり認識できたりするなど、様々に変化し、新規な装飾性が得られる。装飾性付与方法は、基材２の上に、透明インクを用いて図柄を印刷することを特徴とする。【選択図】図１
2014100811.tif 000002
【特許請求の範囲】
【請求項１】
基材と、前記基材の上に透明インクを用いて図柄を印刷することで形成された表面図柄層と、を備えることを特徴とする積層体。
【請求項２】
基材の上に、透明インクを用いて図柄を印刷することを特徴とする装飾性付与方法。
【発明の詳細な説明】
【技術分野】
【０００１】
本発明は、積層体および装飾性付与方法に関する。
【背景技術】
【０００２】
従来、様々な手法により積層体に加工を施して、装飾性の向上や多様化が検討されている。積層体は、内装材、包装紙、包装袋等の用途で適用されている。
例えば、特許文献１には、光輝性ホログラム装飾シートが記載されている。この光輝性ホログラム装飾シートは、ベースシートと、ポリエステル層と、光反射層と、絵柄層と、ホログラムエンボス層とが、順次、積層された積層体である。特許文献１によれば、絵柄層に透明な常温硬化型樹脂を塗布した後、ホログラムエンボス版を用いて賦形し、乾燥および硬化を経ることで、ホログラムエンボス層の凹凸面をシャープに仕上げることが可能であると記載されている。
【０００３】
また、特許文献２には、チューブ容器に用いる積層体が記載されている。この積層体は、内面樹脂層と、表面印刷投影層と、立体装飾樹脂層と、表面印刷とが、この順に積層されて構成される。表面印刷は、立体装飾樹脂層上に、文字や絵柄などを印刷して形成する。特許文献２によれば、表面印刷の文字や絵柄等の影が表面印刷投影層中の金属箔層面に投影され、文字や絵柄等が、その投影された影と多少のずれを生じて重なって、表面に印刷された文字や絵柄を立体的に表現できると記載されている。
【先行技術文献】
【特許文献】
【０００４】
【特許文献１】特開平６−５５６３３号公報
【特許文献２】特開２０１０−２３４７１９号公報
【発明の概要】
【発明が解決しようとする課題】
【０００５】
ところで、近年、装飾性のさらなる向上や多様化の観点から、特許文献１や特許文献２に記載された積層体とは異なる新規な装飾性を有する積層体が要望されている。
【０００６】
本発明は、新規な装飾性を有する積層体および装飾性付与方法を提供することである。
【課題を解決するための手段】
【０００７】
本発明の積層体は、基材と、前記基材の上に、透明インクを用いて図柄を印刷することで形成された表面図柄層と、を備えることを特徴とする。
【０００８】
本発明の装飾性付与方法は、基材の上に、透明インクを用いて図柄を印刷することを特徴とする。
【０００９】
本発明の積層体は、基材上に透明インクで形成された表面図柄層を備えるので、当該積層体を目視する角度や、当該積層体に当たる光の角度によって、表面図柄層に当たった光の反射の仕方が変化し、図柄や積層体の印象が大きく変化する。ゆえに、本発明によれば、従来に無い、新規な装飾性を有する積層体を提供することができる。
なお、本発明において透明インクにおける透明とは、無色透明および有色透明である場合を含む。また、本発明において図柄とは、絵画、イラスト、写真、模様などを含み、いわゆるベタ状に印刷されたものとは異なる。
【００１０】
また、本発明の装飾性付与方法は、基材の上に、透明インクを用いて図柄を印刷するので、上述の本発明の積層体と同様、当該図柄の見え方や積層体の印象が、目視する角度等によって変化する。ゆえに、本発明の装飾性付与方法によれば、従来に無い、新規な装飾性を積層体へ付与することができる。
【図面の簡単な説明】
【００１１】
【図１】本発明の実施形態に係る積層体の断面図である。
【発明を実施するための形態】
【００１２】
〔実施形態〕
以下、図面を参照して、本発明の実施形態を説明する。
図１は、本実施形態に係る積層体１の断面図である。
積層体１は、基材２と、基材２に一方の面に形成された下地層３と、下地層３の上に形成された表面図柄層４と、基材２の他方の面に形成された粘着剤層５と、を備える。このように、積層体１は、表面図柄層４による装飾性と、粘着剤層５による粘着性とを有する装飾性粘着シートである。
【００１３】
基材２としては、ポリ塩化ビニル樹脂、ポリエステル樹脂（ポリエチレンテレフタレート等）、アクリル樹脂、ポリカーボネート樹脂、ポリエチレン樹脂、ポリプロピレン樹脂、アクリロニトリル・ブタジエン・スチレン樹脂、ポリイミド樹脂、ポリウレタン樹脂、ポリスチレン樹脂などの合成樹脂フィルムや、上質紙、含浸紙、グラシン紙、コート紙などの紙材や、不織布、木材等のシート材料や板状材料を用いることができる。
基材２は、透明であってもよく、顔料や染料等の着色剤を使用して着色された着色基材であってもよい。また、空隙を有するような発泡状態として、基材２に不透明性を付与してもよい。
【００１４】
基材２の厚さ寸法は、特に限定されるものではなく、例えば、３μｍ以上１０ｍｍ以下が好ましく、特に５μｍ以上１ｍｍ以下が好ましい。厚みが３μｍ未満だと厚みが薄いために基材２のコシが弱く、下地層３、表面図柄層４、および粘着剤層５の形成工程における基材２の硬さが不足し、支持体としての機能を果たせないために各種加工工程で支障をきたす場合がある。厚みが１０ｍｍを超えると、厚みが増してコシが強すぎて、長尺のロール状に巻くことが困難となったり、重量が増したりする場合がある。
基材２の形状は特に限定されることはないが、正方形や長方形などの矩形状や三角形、五角形、六角形などの多角形状、円形状、楕円形状、不定形状、長尺のロール形状など最終製品の用途により様々選択されればよく、本実施形態においては長方形状に形成されている。
【００１５】
下地層３は、基材２と表面図柄層４との間に設けられた一色以上の色で着色されている層であり、図柄が印刷されていてもよい。図柄は、絵画、イラスト、写真、模様などを含む。
下地層３は、例えば、印刷、印字、塗料の塗布、転写シートからの転写、蒸着、スパッタリング等の方法によって形成することができる。基材２の一方の面には、下地層３を形成するための易接着コート、あるいはグロス調整用コート等のアンダーコート層が形成されていてもよい。また、下地層３は、基材２の全面に形成されていてもよいし、部分的に形成されていてもよい。下地層３の印刷方法としては、後述する透明インクの印刷方法で例示するものから適宜選択して用いることができる。
【００１６】
表面図柄層４は、下地層３の上に透明インクを用いて図柄を印刷することで形成された層である。図柄は、絵画、イラスト、写真、模様などを含み、いわゆるベタ状に印刷されたものとは異なり、部分的に印刷されたものである。
表面図柄層４は、図１に示すように、複数の凸部４１と凹部４２とで構成される凹凸形状を有することが好ましい。凸部４１の高さ寸法は、１μｍ以上５ｍｍ以下が好ましく、５μｍ以上３ｍｍ以下がより好ましく、８μｍ以上２ｍｍ以下がさらに好ましく、１３μｍ以上１ｍｍ以下が特に好ましい。凸部４１の高さ寸法が１μｍ以上であれば、図柄を認識でき、さらに、５μｍ以上であれば、積層体１を視認する角度によっては、図柄をはっきり認識できるようになり、見る角度を変化させることで、図柄が見えたり見えにくくなったりするような外観の変化が生じ、従来にない新規な装飾性が積層体１に付与される。さらに、凸部４１の高さ寸法が８μｍ以上であれば、上述の図柄による装飾性に加えて、鮮やかな光沢感が得られ、１３μｍ以上であれば、さらに、光が当たった時の陰影等による立体感が得られる。また、凸部４１の高さ寸法が５ｍｍを超えると、突起部が高くなり、指で触ったり、物がぶつかったりした時に凸部４１が欠けてしまう場合がある。
【００１７】
透明インクとしては、光透過性に加え、良好な接着性、耐湿性、及び耐熱性等を備えているのが好ましい。
また、透明インクは、硬化後に適度の硬度を発揮するのが好ましい。例えば、透明インクは、透明なポリマーやワックス等の膜形成性成分の１種又は２種以上を溶剤等に溶解させたものなどを、適宜、用いることができる。
また、透明インクは、溶媒として水系溶媒を用いたインクや、有機溶剤を用いたインク等であってもよい。
また、透明インクは、紫外線で硬化する紫外線硬化型インク、常温で硬化する常温硬化型インク、湿気で硬化する湿気硬化型インク、加熱によって硬化する加熱硬化型インク等であってもよい。これらの中でも、紫外線硬化型インクは、印字層を多数積層させることができる点や迅速に表面図柄層４の形成を行うことができる点、さらに、溶媒を含まない点において好ましい。紫外線硬化型インクとしては、反応性モノマー、樹脂、顔料、分散剤、添加剤（安定化剤、界面活性剤）、重合開始剤等を含んで構成される。反応性モノマーとしては、カチオン系モノマーやラジカル系モノマーを挙げることができ、特にアクリレート、ビニルエーテル等のラジカル系モノマーが好ましい。樹脂としては、ポリオールアクリレート樹脂、ポリエステルアクリレート樹脂、ウレタンアクリレート樹脂、又はエポキシアクリレート樹脂といったアクリレート樹脂、メタクリレート樹脂やポリオール（メタ）アクリレート樹脂、ロジン変性フェノール樹脂、アルキッド樹脂などから１種又は２種以上を適宜選択して用いることができる。重合開始剤としては、ベンゾフェノン系、ベンゾイン系、アセトフェノン系、チオキサントン系の化合物を挙げることができる。
また、透明インクは、無色透明でも有色透明でもよい。
【００１８】
透明インクを印刷する方法としては、インクジェット印刷法、オフセット印刷法、フレキソ印刷法、グラビア印刷法、シルクスクリーン印刷法、凸版印刷法などが挙げられる。これらの印刷法の中では、少ないロットに対応可能な点や、精度良く積層印刷が可能な点で、インクジェット印刷法が好ましい。絵画、イラスト、写真、模様など図柄を、画像データやベクトルデータ等のデジタルデータとして予め作成し、このデジタルデータを用いて、例えば、インクジェット印刷法にて透明インクを印刷して表面図柄層４を形成して装飾性を積層体に付与することが好ましい。
【００１９】
表面図柄層４の図柄は、下地層３の図柄の一部もしくは全体と対応した位置に形成されていてもよい。下地層３の図柄の上に、透明インクで表面図柄層４が形成されていることで、下地層３の図柄を立体的に視認させたり、下地層３の図柄に光沢感を付与させたりすることができ、積層体１の付加価値を高めることができる。
【００２０】
粘着剤層５は、積層体１を被着体に貼り合わせるものである。粘着剤層５は、基材２の下地層３が設けられた面とは反対側の面に設けられている。粘着剤層５は、積層体１を被着体に接着することができる充分な接着力があれば、その材質は特に限定されず広く適用でき、例えば、ゴム系、アクリル系、シリコーン系、ウレタン系、ポリエステル系の粘着剤を用いることができる。中でも、アクリル系粘着剤は接着力及び耐久性の面でバランスがとれているので、好ましい。粘着剤層５の厚さ寸法は特に限定されないが、例えば、１μｍ以上３００μｍ以下が好ましく、５μｍ以上１５０μｍ以下が更に好ましい。粘着剤層５の厚さ寸法を３００μｍ以下とすることで、搬送中の積層体１全体の厚さ寸法が過剰に大きくなることが防止されるので、軽量かつコンパクトになって搬送や被着体への貼付作業が容易になる。粘着剤層５の厚さ寸法を１μｍ以上とすることで、被着体に対する十分な接着力を付与することができる。
【００２１】
積層体１は、装飾性と、粘着性とを有する粘着シートであることが好ましく、その用途としては、壁、窓、天井、柱などの内装に用いたり、ガラスや透明プラスチック等の透明素材の装飾に用いたり、看板に用いたり、車両や自動車のマーキングに用いたり、小物類に用いたりすることができる。
【００２２】
次に、本実施形態に係る積層体１の製造方法および装飾性付与方法について説明する。
基材２の一方の面に、インクジェットプリンターにて下地層３を印刷する。
次に、下地層３の上に、透明インクを用いて図柄を印刷し表面図柄層４を形成する。表面図柄層４の形成も、インクジェットプリンターにて行う。透明インクは、紫外線硬化型のインクを用いることが好ましい。紫外線硬化型の透明インクを用いることで、表面図柄層４の硬化による製膜化が瞬時に行われるため凸部４１の高さ寸法を大きくし、表面図柄層４の厚膜化が可能になる。
基材２の他方の面には、粘着剤を塗布して粘着剤層５を形成する。粘着剤層５の表面には積層体１を使用するまでの保護部材として剥離シートを貼り合わせておくことが好ましい。剥離シートとしては、特に限定されるものではなく、例えば、上述の基材２で説明したシート材料や板状材料を用いることができる。剥離シートは、構成材料自体の剥離性を利用してもよいし、剥離処理層を形成して剥離性を付与してもよい。当該剥離処理層は、特に限定されるものではないが、例えば、オレフィン系熱可塑性エラストマー、ポリエチレン、ポリプロピレン等のポリオレフィン樹脂、テトラフルオロエチレン等のフッ素樹脂、シリコーン樹脂、長鎖アルキル樹脂、長鎖アルキル基含有カルバメート樹脂、アルキド樹脂、或いは、これらの混合物等から成る剥離剤を剥離シートの表面に塗工することで形成される。
【００２３】
本実施形態に係る積層体１によれば、次のような効果を奏する。
積層体１の透明インクで形成された表面図柄層４によって、積層体１を目視する角度や、積層体１に当たる光の角度によって、表面図柄層４に当たった光の反射の仕方が変化し、表面図柄層４や下地層３の図柄や積層体１の印象が大きく変化する。例えば、当該積層体１を目視する角度によって、図柄の見え方が、ほのかに認識できたり、くっきり認識できたりするなど、様々に変化する。このように、積層体１によれば、光の陰影を使った立体的デザインと下地層３の色や柄を活かした装飾が可能になる。
ゆえに、積層体１によれば、従来に無い、新規な装飾性を有する積層体を提供することができる。
また、本実施形態に係る装飾性付与方法は、基材２の上に下地層３を形成し、下地層３のさらに上に透明インクを用いて図柄を印刷して表面図柄層４を形成するので、当該図柄の見え方が、目視する角度等によってさまざまに変化する。ゆえに、積層体１への装飾性付与方法によれば、上述と同様、従来に無い、新規な装飾性を積層体へ付与することができる。
【００２４】
＜変形例＞
なお、本発明は前述の実施形態に限定されるものではなく、本発明の目的を達成できる範囲での変形、改良等は本発明に含まれるものである。
【００２５】
積層体は、粘着剤層が設けられていない印刷物であってもよい。例えば、当該印刷物を、両面テープ等による貼り付け媒体、あるいは接着剤等を用いて被着体に貼り付けて使用してもよい。
また、基材の両面に表面図柄層が形成された積層体であってもよい。
【００２６】
また、前記実施形態では、基材と表面図柄層との間に下地層が設けられた積層体を例に挙げて説明したが、下地層が無い積層体であってもよい。
例えば、基材が着色されている着色基材であって、当該基材に直接、透明インクで図柄を印刷して表面図柄層を形成してある態様でもよい。
また、例えば、透明な基材の上に透明インクで図柄、例えば、木目調を印刷して表面図柄層を形成した積層体を作製し、この積層体を木板の上に載せることで、立体的な木目調の表現が可能になる。ここでは、木目調を例に挙げたが、その他の図柄であってもよい。
したがって、装飾性を有する積層体の製造方法としては、基材の上に、透明インクを用いて図柄を印刷する工程を備えればよい。
【実施例】
【００２７】
次に、実施例を挙げて本発明をさらに詳しく説明するが、本発明はこれらの実施例の記載内容に何ら制限されるものではない。
本実施例では、予め着色された基材上に、種々の印刷条件で図柄を印刷して表面図柄層を形成し、積層体の装飾性を確認した。
【００２８】
＜実施例１＞
基材は、リンテックサインシステム株式会社製の黒色の装飾用粘着シート（製品名：パロア  ＰＭＯ−０２２）であって、１２２０ｍｍ幅で、３０ｍ巻きのロール形状のものを用いた。当該シートの黒色面に、紫外線硬化型の透明インクを用いて図柄をＡ４サイズ（縦２９７ｍｍ×横２１０ｍｍ）で印刷した。図柄としては、蝶、花、及び市松模様が配されたデザインを用いた。なお、市松模様の格子を構成するそれぞれの四角形状（縦１０ｍｍ×横１０ｍｍ）には、ストライプ状に線を設けたデザインとした。透明インクは、富士フイルム株式会社製のインクジェットプリンタ用ＵＶ硬化型インク（製品名：ＵＶ−ＩＪ  ＩＮＫ  ＬＬ３９１  ＣＬＥＡＲ  ６００ＭＬ）を用いた。透明インクの印刷には、富士フイルムグラフィックシステムズ株式会社製のインクジェットプリンター（製品名：Ａｃｕｉｔｙ  ＬＥＤ  １６００）を用いた。インクジェットプリンターによる印刷条件は、表１に示す通り設定した。
【００２９】
【表１】
2014100811.tif 000003
【００３０】
形成した表面図柄層の凸部の高さ寸法を測定した。その寸法測定結果を表１に示す。
【００３１】
＜実施例２〜１３＞
実施例２〜９の積層体は、表１に示すように印刷条件を変更した以外は、実施例１の積層体と同様にして作製した。
実施例１０〜１３の積層体は、表１に示すように、基材としてシルバー色の基材を用い、表１に示すように印刷条件を変更した以外は、実施例１の積層体と同様にして作製した。シルバー色の基材は、リンテックサインシステム株式会社製のシルバー色の装飾用粘着シート（製品名：パロア  ＰＭＥ−３３５）であって、１２２０ｍｍ幅で、３０ｍ巻きのロール形状のものを用いた。
【００３２】
＜積層体の評価＞
実施例１〜１３の積層体を見る角度を変えながら観察し、装飾性を評価した。評価は、次に示す基準に基づいて行った。
Ａ：鮮やかな光沢感および立体感が有る。
Ｂ：鮮やかな光沢感が有る。
Ｃ：見る角度によっては、図柄をはっきり認識できる。
Ｄ：ほのかに図柄を認識できる。
表１に、評価結果を示す。
【００３３】
表１に示すように、２μｍ以上の凸部の高さ寸法であれば、少なくとも図柄を認識でき、さらに、５μｍ以上の凸部の高さ寸法であれば、見る角度によっては、図柄をはっきり認識できるようになった。このように、見る角度を変化させることで、図柄が見えたり見えにくくなったりするような外観の変化が生じ、従来に無い新規な装飾性が積層体に付与されたことを確認できた。
さらに、８μｍ以上の凸部の高さ寸法であれば、上述の図柄による装飾性に加えて、鮮やかな光沢感が得られることを認識でき、１３μｍ以上の凸部の高さ寸法であれば、光が凸凹に当たることで生じる陰影によって立体感を認識でき、従来に無い新規な装飾性が積層体に付与されたことを確認できた。
【産業上の利用可能性】
【００３４】
本発明の積層体は、内装材(壁、天井、柱)、看板、マーキングフィルム（車両、鉄道、船舶、航空機）、ガラス、パネル、ふすま、包装紙、包装袋等の種々の用途の新規装飾性付与に利用できる。
【符号の説明】
【００３５】
１…積層体
２…基材
３…下地層
４…表面図柄層
４１…凸部
４２…凹部
５…粘着剤層
【図１】
2014100811.tif 000004